(57)【特許請求の範囲】
【請求項１】
本体（２０）の下面に吸込口（２０ａ）が位置し、前記吸込口（２０ａ）から吸い込まれた空気に含まれる塵埃をフィルタ（９）によって除去し、前記フィルタ（９）に付着した前記塵埃をフィルタ清掃機構によって脱離させる、天井設置の空調室内機であって、
前記吸込口（２０ａ）付近に在って、メンテナンス時に第１位置まで降下する昇降パネル（２４）と、
前記昇降パネル（２４）を上昇方向および降下方向に移動させる昇降機構（７）と、
前記フィルタ（９）の下方に位置し、前記昇降パネル（２４）に脱着可能に取り付けられ前記フィルタ（９）から脱離した前記塵埃を貯めるダストボックス（１０９）と
を備え、
前記昇降機構（７）は、
運転時に、前記昇降パネル（２４）を、前記吸込口（２０ａ）から離れた前記第１位置よりも天井に近い第２位置へ移動させ、
停止時に、前記昇降パネル（２４）を、前記吸込口（２０ａ）を閉じる第３位置へ移動させ、
少なくとも前記第１位置へ移動する前記昇降パネル（２４）は、前記ダストボックス（１０９）をともなっている、
空調室内機（２）。
【請求項２】
前記昇降機構（７）は、前記昇降パネル（２４）を吊り上げて、前記吊り上げによる降下量又は上昇量を変更することによって、前記昇降パネル（２４）を前記第１位置、前記第２位置および前記第３位置のいずれかへ移動させる、
請求項１に記載の空調室内機（２）。
【発明の詳細な説明】
【技術分野】
【０００１】
本発明は、天井設置の空調室内機に関し、特に、下面に設けられた吸込口をパネルで閉じる空調室内機に関する。
【背景技術】
【０００２】
従来、天井設置の空調室内機では、吸込口が常に開いた状態であり、その吸込口を通してフィルタや内部が人目に触れるので、空調室内機の意匠性が著しく低下する。その問題を解決するために、例えば特許文献１（特開２００８−２０９０９９号公報）に示す空調室内機は、運転停止時に吸込口をパネルで閉じることによって、意匠性を向上させている。特許文献１（特開２００８−２０９０９９号公報）によれば、空調室内機の運転が停止しているときにはパネルが吸込口を隠し、空調室内機の運転が行われているときにはパネルが降下して吸込口が表出し、フィルタ清掃および交換が行なわれるときにはパネルは運転中の位置よりもさらに下方へ移動する。
【発明の概要】
【発明が解決しようとする課題】
【０００３】
しかしながら、近年、天井設置の空調室内機にもフィルタ清掃機構が搭載されるようになり、パネル周辺の構成が複雑化する傾向にある。そのため、パネルの動作がフィルタ清掃機構によって阻害されないように、また、不安全にならないように配慮されなければならない。
【０００４】
本発明の課題は、フィルタ清掃機構とパネル昇降機構とを備えた天井設置の空調室内機において、パネル動作の信頼性が高い空調室内機を提供することにある。
【課題を解決するための手段】
【０００５】
第１発明に係る空調室内機は、本体の下面に吸込口が位置し、吸込口から吸い込まれた空気に含まれる塵埃をフィルタによって除去し、フィルタに付着した塵埃をフィルタ清掃機構によって脱離させる、天井設置の空調室内機であって、昇降パネルと、昇降機構と、ダストボックスとを備えている。昇降パネルは、吸込口付近に在って、メンテナンス時に第１位置まで降下する。昇降機構は、昇降パネルを上昇方向および降下方向に移動させる。ダストボックスは、フィルタの下方に位置し、昇降パネルに脱着可能に取り付けられフィルタから脱離した塵埃を貯める。また、昇降機構は、運転時に、昇降パネルを、吸込口から離れた第１位置よりも天井に近い第２位置へ移動させ、停止時に、昇降パネルを、吸込口を閉じる第３位置へ移動させる。そして、少なくとも第１位置へ移動する昇降パネルは、ダストボックスをともなっている。
【０００６】
この空調室内機では、ダストボックスが昇降パネルとともにメンテナンス位置まで降下するので、ダストボックス及び昇降パネルそれぞれを別個に降下させるよりも動作が簡単であり、その分、昇降パネルの動作の信頼性が高い。また、使用者は空調室内機からダストボックスを運んでくる手間が省ける上に、メンテナンス位置でダストボックスに貯まった塵埃を捨てることができるので使い勝手がよい。
【０００７】
第２発明に係る空調室内機は、第１発明に係る空調室内機であって、昇降機構が、昇降パネルを吊り上げて、吊り上げによる降下量又は上昇量を変更することによって、昇降パネルを第１位置、第２位置および第３位置のいずれかへ移動させる。
【０００８】
この空調室内機では、昇降パネルの位置が、吊り上げによる降下量又は上昇量を変更することによって決まるので、天井の高さに対応したメンテナンス位置を設定することが可能となり、使用者にとって使い勝手がよい。
【発明の効果】
【０００９】
第１発明に係る空調室内機では、ダストボックス及び昇降パネルそれぞれを別個に降下させるよりも動作が簡単であり、その分、昇降パネルの動作の信頼性が高い。
【００１０】
第２発明に係る空調室内機では、昇降パネルの位置が、吊り上げによる降下量又は上昇量を変更することによって決まるので、天井の高さに対応したメンテナンス位置を設定することが可能となり、使い勝手がよい。
【図面の簡単な説明】
【００１１】
【図１】本発明の一実施形態に係る空調室内機の外観斜視図。
【図２】（ａ）空調室内機の運転停止時の側面図。（ｂ）空調室内機の運転時の側面図。（ｃ）メンテナンス時の側面図。
【図３】空調室内機の断面図。
【図４】空調室内機の本体の分解斜視図。
【図５】下部本体の分解斜視図。
【図６】フィルタ清掃機構のフィルタ収納枠の分解斜視図。
【図７】フィルタ収納枠の内部の断面図。
【図８】（ａ）フィルタが前方収納部にあるときのフィルタ収納部の断面図。（ｂ）フィルタが後方収納部にあるときのフィルタ収納部の断面図。（ｃ）フィルタを取り出すときのフィルタ収納部の断面図。
【図９】可動パネルの分解斜視図。
【図１０】化粧パネルの斜視図。
【図１１】ヒンジ連結装置の分解斜視図。
【図１２】昇降装置の分解斜視図。
【図１３】昇降装置内部の部品の配置図。
【図１４】ロック装置の斜視図。
【図１５】可動パネルが吸込口を開いた状態の斜視図。
【図１６】可動パネルが降下している状態の斜視図。
【図１７】吹出口モジュールの拡大断面図。
【図１８】吹出口モジュールの斜視図。
【図１９】可動パネルの端部の平面図。
【図２０】昇降装置のワイヤの先端に連結される吊り金具の正面図。
【図２１】（ａ）吊り金具が連結される吊り金具連結部材の平面図。（ｂ）（ａ）のＸ−Ｘ線での断面図。
【図２２】（ａ）吊り金具が連結される直前の吊り金具連結部材の平面図。（ｂ）（ａ）のＹ−Ｙ線での断面図。
【図２３】（ａ）ロック装置の平面図。（ｂ）ロック装置の正面図。
【発明を実施するための形態】
【００１２】
以下図面を参照しながら、本発明の実施形態について説明する。なお、以下の実施形態は、本発明の具体例であって、本発明の技術的範囲を限定するものではない。
【００１３】
＜空調室内機２の構成＞
図１は本発明の一実施形態に係る空調室内機の外観斜視図である。図１において、空調室内機２は、下面に吸込口２０ａ及び吹出口２０ｂを有する本体２０と、吸込口２０ａを開閉する可動パネル２４及び吹出口２０ｂを開閉する第１風向調節羽根５２とを備えている。吸込口２０ａと吹出口２０ｂとは一定距離を隔てて隣接しており、吹出口２０ｂから吹き出された空気が吸込口２０ａに吸い込まれる現象、いわゆるショートサーキットが発生しないようになっている。本体２０の下面は、化粧パネル２１によって覆われており、実際に天井面に露出するのは化粧パネル２１であって、吸込口２０ａ及び吹出口２０ｂの輪郭は化粧パネル２１によって形成されている。
【００１４】
図２（ａ）は、空調室内機の運転停止時の側面図であり、（ｂ）は、その空調室内機の運転時の側面図であり、（ｃ）は、メンテナンス時の側面図である。図２（ａ），（ｂ），（ｃ）において、空調室内機２が停止しているとき、可動パネル２４は化粧パネル２１と見かけ上一体化している。図２（ｂ）において、空調室内機２が稼動するとき、可動パネル２４は吸込口２０ａを開き、第１風向調節羽根５２は吹出口２０ｂを開く。可動パネル２４の一端は蝶番によって本体２０に支持されており、可動パネル２４は回動して吸込口２０ａを開ける。
【００１５】
また、図２（ｃ）において、可動パネル２４は、本体２０側から延びるワイヤ７１に吊られた状態で使用者の手が届くメンテナンス位置まで降下することができる。但し、可動パネル２４は、一端が蝶番によって本体２０に支持されている状態ではメンテナンス位置まで降下することができないので、一旦、吸込口２０ａを閉じて、本体２０による支持が解除されたのちにメンテナンス位置まで降下する。
【００１６】
図３は、空調室内機の断面図である。図３において、空調室内機２は、フィルタ９、フィルタ清掃機構１０、室内熱交換器１２、室内ファン１３、ドレンパン１４及び吹出口モジュール５０をさらに備えている。空調室内機２の運転時、吸込口２０ａ及び吹出口２０ｂが開き、室内ファン１３が回転し、空気が吸込口２０ａから吸い込まれる。
【００１７】
（室内熱交換器１２）
室内熱交換器１２は、２つの熱交換器が異なる傾斜姿勢で隣接した形状をしており、説明の便宜上、上側の熱交換器を上部熱交換器１２ａ、下側の熱交換器を下部熱交換器１２ｂと呼ぶ。
【００１８】
上部熱交換器１２ａの上端は本体２０の内側上部に位置し、上端から下端に向って傾斜する角度は、鉛直線に対して４５°以下に設定されており、結露水が確実に上部熱交換器１２ａを伝わってドレンパン１４に向う。このため、ドレンパン１４は、上部熱交換器１２ａの下方全域に配置される必要が無く、上部熱交換器１２ａの下端近傍の下方にだけ配置されている。
【００１９】
下部熱交換器１２ｂの上端は、上部熱交換器１２ａの下端に近接して配置されており、上端から下端に向って傾斜する角度は、鉛直線に対して４５°を超えている。このため、結露水が直接落下する可能性があるので、ドレンパン１４は、下部熱交換器１２ｂの下方全域に配置されている。
【００２０】
上部熱交換器１２ａは、下部熱交換器１２ｂよりも長い寸法に設定されており、下端コーナーが、下部熱交換器１２ｂの上端中央に近接している。このため、上部熱交換器１２ａを下部熱交換器１２ｂより長くした分量を相殺している。
【００２１】
（室内ファン１３）
室内ファン１３は、クロスフローファンであり、幅寸法が直径よりも長く、回転軸と垂直な方向から空気を吸い込むので、単一の吸込口２０ａから空気を吸い込んで、単一の吹出口２０ｂへ吹き出すことができる。吸い込まれた空気は、フィルタ９及び室内熱交換器１２を通過して室内ファン１３に入る。これ以後、吸込口２０ａから室内ファン１３までの空気流路を吸込流路３１ａと呼ぶ。
【００２２】
室内ファン１３から吹き出された空気は、吹出口モジュール５０を通過して吹出口２０ｂから吹き出される。吹出口２０ｂには、吹出口モジュール５０の構成部品である第１風向調節羽根５２が配置されており、第１風向調節羽根５２は、モータによって傾斜角度の調節が可能であり、運転停止時は、第１風向調節羽根５２が吹出口２０ｂを閉じる。これ以後、室内ファン１３から吹出口２０ｂまでの空気流路を吹出流路（第２吹出流路４１ａ、第１吹出流路５１ａ）と呼ぶ。室内ファン１３とドレンパン１４との間で且つ第２吹出流路４１ａ側には、舌部１５が設けられており、この舌部１５が吹出空気の漏れを防止して、性能を向上させている。そして、下部熱交換器１２ｂの下端部が、舌部１５の下方に位置するので、従来（例えば、特開平１０−２０５７９６参照）のような舌部と熱交換器との位置関係に比べてデッドスペースを有効利用することができる。なお、舌部１５は、室内ファン１３及びドレンパン１４とは独立した部材である。
【００２３】
（本体２０）
空調室内機２は、可動パネル２４の上方に、フィルタ清掃機構１０を備えているので、フィルタ清掃機構１０を備えていない標準空調室内機と比較して本体２０の高さ寸法が大きくなる。空調室内機２は、標準空調室内機の本体を利用するために、標準空調室内機の本体に拡張枠を連結している。
【００２４】
図４は、空調室内機の本体の分解斜視図である。図４において、本体２０は、上部本体２６、本体拡張枠２７及び下部本体２８に大別される。上部本体２６には、図３で示した吸込流路３１ａ及び第２吹出流路４１ａを形成する発泡スチロール、室内熱交換器１２及び室内ファン１３が含まれる。本体２０の組立順序は、上部本体２６に本体拡張枠２７を連結し、本体拡張枠２７に下部本体２８が連結される。本体拡張枠２７は、上部本体２６と下部本体２８とを繋ぐ中間部材であり、外殻は板金製で直方体形状をしており、下部本体２８の重量増加に対して、充分な強度を有している。下部本体２８には、図３で示したフィルタ清掃機構１０、化粧パネル２１及び吹出口モジュール５０などが配置される。
【００２５】
図５は、下部本体の分解斜視図である。図５において、化粧パネル２１の上面には、ヒンジ連結装置６、昇降装置７、フィルタ清掃機構１０のフィルタ収納枠１０４、吹出口モジュール５０及び吹出口モジュールケース５０ａが装着されている。化粧パネル２１の下面には、可動パネル２４が装着されている。
【００２６】
＜フィルタ掃除機構１０＞
図６は、フィルタ清掃機構のフィルタ収納枠の分解斜視図である。図６において、フィルタ収納枠１０４には、縁にラック１０１が形成されているフィルタ９、ピニオン歯車１０２ａを有するローラー１０２、フィルタ９の浮き上がりを防止するフィルタ安定板１０３、及びフィルタ９の移動経路を形成するフィルタ収納枠１０４が取り付けられる。
【００２７】
（フィルタ９）
フィルタ９は、網部９ａと網部９ａの周囲を保持する縁部９ｂを有しており、図３に示すように室内熱交換器１２の前面側に配置され、室内から取り込まれた空気から塵埃を除去する。これにより、フィルタ９は、空気中に浮遊する塵埃が室内熱交換器１２の表面を汚染することを防止している。フィルタ９の縁部９ｂには、ピニオン歯車１０２ａと噛み合うラック１０１が形成されている。
【００２８】
（ローラー１０２）
ローラー１０２は、複数のピニオン歯車１０２ａと、複数のピニオン歯車１０２ａを同軸上に連結する連結軸１０２ｂとを有している。ピニオン歯車１０２ａは、フィルタ９のラック１０１と噛み合い、回転することによってフィルタ９を水平に移動させる。
【００２９】
（フィルタ収納枠１０４）
フィルタ収納枠１０４は、上枠１０４ａと下枠１０４ｂとを有しており、上枠１０４ａと下枠１０４ｂとが一定の間隔を隔てて上下に重なることによって、フィルタ収納部が形成される。また、上枠１０４ａには、モータ収納部１０４ｃが形成されており、ピニオン歯車１０２ａと噛み合う伝達歯車１０４ｄ、伝達歯車１０４ｄを駆動する駆動歯車１０４ｅ、及び駆動歯車１０４ｅを回転させるフィルタ駆動モータ１０４ｆが収納される。
【００３０】
ここで、フィルタ駆動モータ１０４ｆ及びブラシ駆動モータ１０８ｆのフィルタ収納枠１０４に対する位置関係、及び上記フィルタ収納部について図面を参照しながら詳細を説明する。図７は、フィルタ収納枠の内部の断面図である。なお、図７では、フィルタ駆動モータ１０４ｆ及びブラシ駆動モータ１０８ｆのフィルタ収納枠１０４に対する位置が明確になるように、フィルタ駆動モータ１０４ｆ及びブラシ駆動モータ１０８ｆを２点鎖線で表示している。フィルタ駆動モータ１０４ｆ及びブラシ駆動モータ１０８ｆは、フィルタ収納枠１０４の長手方向の両側、すなわち吸込口２０ａの長手方向の両側の上方に位置している。
【００３１】
図７において、フィルタ駆動モータ１０４ｆの回転軸に駆動歯車１０４ｅが連結され、この駆動歯車１０４ｅに伝達歯車１０４ｄが噛み合っている。この伝達歯車１０４ｄがローラー１０２のピニオン歯車１０２ａを回転させる。フィルタ収納部は、前方収納部１０５と後方収納部１０６とから成り、前方収納部１０５及び後方収納部１０６の長さは、フィルタ９の長手方向の長さに相当する。
【００３２】
図８（ａ）は、フィルタが前方収納部にあるときのフィルタ収納部の断面図であり、（ｂ）は、フィルタが後方収納部にあるときのフィルタ収納部の断面図であり、（ｃ）は、フィルタを取り出すときのフィルタ収納部の断面図である。図８（ａ），（ｂ），（ｃ）において、前方収納部１０５は、フィルタ９が後方収納部１０６へ移動するときの経路となる直線状の前方収納経路１０５ａを有し、後方収納部１０６は、前方収納部１０５から移動してくるフィルタ９を導く後方収納経路１０６ａを有する。
【００３３】
図３に示すように、前方収納部１０５の終端部は、吸込流路３１ａを形成する壁から外側方向へ窪んだ凹部３２に嵌まり込んでおり、空調室内機２が稼動しているとき、フィルタ９の縁部９ｂが吸込流路３１ａに露出しないようになっている。また、後方収納部１０６は、吸込口２０ａと吹出口２０ｂとの間で、且つドレンパンの下方に位置している。
【００３４】
後方収納経路１０６ａには、第１湾曲領域１０６ｂと第２湾曲領域１０６ｃとがあり、第１湾曲領域１０６ｂは、ローラー１０２によって繰り出されたフィルタ９をピニオン歯車１０２ａの中心へ近づく方向に湾曲させる。第２湾曲領域１０６ｃは、第１湾曲領域１０６ｂと反対の方向へフィルタ９を湾曲させる。
【００３５】
また、フィルタ９は、フィルタ押え９１によって下方から支えられており、使用者が、フィルタ９をメンテナンスするためにフィルタ収納枠１０４から取り出すときは、フィルタ押え９１を下方へ回動させて、フィルタ９を引き出す。
【００３６】
（位置検知スイッチ１０７）
図８において、フィルタ９は、フィルタ収納枠１０４内を移動し所定の位置で停止する。フィルタ９の停止位置は、位置検知スイッチ１０７によって検知される。位置検知スイッチ１０７は、前方収納部１０５の終端近傍、及び後方収納部１０６の終端近傍に配置されている。位置検知スイッチ１０７の外側には、レバーが蝶番によって装着されており、外力が加わると回動して位置検知スイッチ１０７のボタンを押す。
【００３７】
（ブラシ１０８）
図７に示すように、ブラシ１０８の毛１０８ａは、フィルタ９を挟んでローラー１０２と反対側に位置しフィルタ９に接触している。つまり、フィルタ９の上側にローラー１０２があり、フィルタ９の下方にブラシ１０８がある。毛１０８ａの回転軸上には、最終伝達歯車１０８ｃが連結されており、ブラシ駆動モータ１０８ｆの回転軸には駆動歯車１０８ｅが連結されている。この駆動歯車１０８ｅと中間伝達歯車１０８ｄとが噛み合い、中間伝達歯車１０８ｄと最終伝達歯車１０８ｃとが噛み合っている。
【００３８】
また、ブラシ１０８は、直線状の前方収納経路１０５ａと湾曲した後方収納経路１０６ａとの間に位置するので、フィルタ９が前方収納経路１０５ａと後方収納経路１０６ａとの間を移動するときに、ブラシ１０８は、フィルタ９の網部９ａ全域に接触することができる。
【００３９】
なお、最終伝達歯車１０８ｃと中間伝達歯車１０８ｄとの噛み合いは、可動パネル２４の開時および下降時には外れ、最終伝達歯車１０８ｃは、可動パネル２４及びブラシ１０８と共に移動する。そして、可動パネル２４が吸込口２０ａを閉じたとき、最終伝達歯車１０８ｃと中間伝達歯車１０８ｄとは再び噛み合う。
【００４０】
図９は、可動パネルの分解斜視図であり、図９において、ブラシ１０８の毛１０８ａは、回転軸１０８ｂに固定されている。毛１０８ａは、プラスチック製の細い毛であるので、フィルタ９の網目に入り込んで塵埃を確実に除去することができる。最終伝達歯車１０８ｃは、回転軸１０８ｂの両端に連結されている。
【００４１】
（ダストボックス１０９）
図９において、ダストボックス１０９は、上部の吹出口２０ｂ寄りに、塵埃取り込み口１０９ａを有しており、塵埃取り込み口１０９ａの長手方向の両端で、軸受１０９ｂを介して回転軸１０８ｂを支持する。さらに、塵埃取り込み口１０９ａには、ブラシ１０８がフィルタ９から掻き取った塵埃をブラシ１０８からふるい落とす櫛部１０９ｃが取り付けられている。
【００４２】
図２（ｂ）に示すように、ダストボックス１０９は可動パネル２４の回動軸側に寄って取り付けられており、ブラシ１０８が吸込口２０ａの端のさらに吹出口２０ｂ寄りに近づくので、可動パネル２４が回動して吸込口２０ａを開けたとき、ブラシ１０８と共にフィルタ９から離れ、吸込空気の進路を妨害しない。また、ダストボックス１０９へ向って来る空気を滑らかにフィルタ９へ向わせるために、ダストボックス１０９の吸込空気と対向する面１０９ｄは傾斜し、空気抵抗を低減している。
【００４３】
ダストボックス１０９が可動パネル２４に固定されたとき、可動パネル２４はダストボックス１０９によって構造的に補強されるので、従来、補強用として使用されていた板金部材の使用率が減少する。
【００４４】
（フィルタ９の清掃動作）
空調室内機２では、制御部により定期的に、或いは使用者が必要とするときにリモコンによってフィルタ９が自動的に清掃される。以下、その仕組みについて説明する。
【００４５】
図８において、フィルタ９のラック１０１は、前方収納経路１０５ａに収まっており、ラック１０１の一端（以後、第１端部１０１ａとよぶ）はピニオン歯車１０２ａと噛み合っている。ローラー１０２が回転するとき、ピニオン歯車１０２ａからラック１０１に回転が伝達され、フィルタ９のラック１０１は、ローラー１０２によって後方収納経路１０６ａ側へ搬送される。ローラー１０２が回転し続けることによって、ラック１０１の第１端部１０１ａは後方収納経路１０６ａの終端に到達する。
【００４６】
ラック１０１の第１端部１０１ａが後方収納経路１０６ａの終端に到達したとき、第１端部１０１ａが位置検知スイッチ１０７のレバーを回動させオン動作させる。制御部は、位置検知スイッチ１０７から出力されるオン信号からラック１０１の第１端部１０１ａが後方収納経路１０６ａの終端に到達したと判断し、ローラー１０２の回転を停止させる。このとき、フィルタ９のラック１０１の全域が、後方収納経路１０６ａに収まっており、ラック１０１の他端（以後、第２端部１０１ｂとよぶ）はピニオン歯車１０２ａと噛み合っている。
【００４７】
図３及び図８において、フィルタ９が移動する際に、フィルタ９の表面に付着していた塵埃はブラシ１０８によって掻き取られ、ダストボックス１０９に貯えられる。ブラシ１０８は、少なくともフィルタ９が前方収納経路１０５ａから後方収納経路１０６ａへ移動している期間中は回転しており、その回転方向は、フィルタ９の進行方向に逆らう方向である。
【００４８】
フィルタ９が前方収納経路１０５ａから後方収納経路１０６ａへ移動し塵埃の除去が終了したとき、制御部は、ローラー１０２を逆回転させる。フィルタ９のラック１０１の第２端部１０１ｂは、ピニオン歯車１０２ａと噛み合っているので、ピニオン歯車１０２ａからラック１０１に回転が伝達され、フィルタ９は、ローラー１０２によって前方収納経路１０５ａ側へ搬送される。ローラー１０２が逆回転し続けることによって、ラック１０１の第２端部１０１ｂは前方収納経路１０５ａの終端に到達する。
【００４９】
ラック１０１の第２端部１０１ｂが前方収納経路１０５ａの終端に到達したとき、第２端部１０１ｂが位置検知スイッチ１０７のレバーを回動させオン動作させる。制御部は、位置検知スイッチ１０７から出力されるオン信号からラック１０１の第２端部１０１ｂが前方収納経路１０５ａの終端に到達したと判断し、ローラー１０２の回転を停止させる。このとき、フィルタ９のラック１０１は、前方収納経路１０５ａに収まっており、ラック１０１の第１端部１０１ａはピニオン歯車１０２ａと噛み合っている。
【００５０】
＜可動パネル２４の動作に関連する装置＞
図１０は、化粧パネルの斜視図である。図１０に示すように、化粧パネル２１の天井側の面上には、昇降装置７以外に、ヒンジ連結装置６及びロック装置８が配置されている。以下、ヒンジ連結装置６、昇降装置７及びロック装置８の詳細構造について順に説明する。
【００５１】
（ヒンジ連結装置６）
ヒンジ連結装置６は、空調室内機２が稼動するとき、可動パネル２４の一端を回動可能に支持し、可動パネル２４をメンテナンス位置まで降下させるとき、可動パネル２４の一端の支持を解除する。
【００５２】
図１１は、ヒンジ連結装置の分解斜視図である。図１１において、ヒンジ連結装置６は、回動部材６１、滑り部材６２、第１ピン６３、ピニオン歯車６４、モータ６５、固定部材６６、第２ピン６７及びネジ６８を有している。回動部材６１は、Ｕ字状の固体物であって、端面から外側に向ってと棒状の支持軸６１ａが突出している。さらに、回動部材６１の一端部には、軸孔６１ｂが形成されている。
【００５３】
滑り部材６２は、ピニオン歯車６４と噛み合うラック６２ａと、回動部材６１の軸孔６１ｂの両端を挟むアーム６２ｂとが形成されている。さらに、アーム６２ｂには、第１滑り孔６２ｃが形成され、ラック６２ａの根元近傍には、第２滑り孔６２ｄが形成されている。モータ６５は、ステッピングモータであり、ピニオン歯車６４を回転させる。モータ６５は、ネジ６８が通る貫通孔６５ａを有する。
【００５４】
固定部材６６には、滑り部材６２を滑り移動可能に保持する滑り空間６６ａと、ピニオン歯車６４が挿入される歯車空間６６ｂと、ネジ６８と螺合するネジ孔６６ｃとが形成されている。さらに、滑り空間６６ａを形成する壁には、第１貫通孔６６ｄと第２貫通孔６６ｅとが形成されている。
【００５５】
固定部材６６の滑り空間６６ａに滑り部材６２が配置され、その滑り部材６２のアーム６２ｂに回動部材６１の軸孔６１ｂが挟まれるように配置される。第１ピン６３は、固定部材６６の第１貫通孔６６ｄの一端から挿入され、滑り部材６２の第１滑り孔６２ｃ及び回動部材６１の軸孔６１ｂを通って第１貫通孔６６ｄの他端に出る。
【００５６】
第２ピン６７は、第２貫通孔６６ｅの一端から挿入され、滑り部材６２の第２滑り孔６２ｄを通って第２貫通孔６６ｅの他端に出る。その結果、滑り部材６２は、第１ピン６３及び第２ピン６７に沿って滑り空間を水平移動することができ、回動部材６１は、第１ピン６３を中心に回動することができる。
【００５７】
（ヒンジ連結装置６の動作）
図１０、図１１において、モータ６５がピニオン歯車６４を回転させると、ピニオン歯車６４と噛み合うラック６２ａに動力が伝達されて滑り部材６２は第１ピン６３に沿って滑り移動し、滑り部材６２の移動に伴って回動部材６１が可動パネル２４の方向、或はその反対の方向へ移動する。ここで説明の便宜上、回動部材６１を可動パネル２４と連結する方向へ移動するようにモータ６５が回転することを正転と呼び、回動部材６１と可動パネル２４との連結を解除する方向へ移動するようにモータ６５が回転することを逆転と呼ぶ。
【００５８】
可動パネル２４の端部には、回動部材６１に支持軸６１ａと対峙する支持孔２４ｃ（図９参照）が設けられており、モータ６５が正転し、支持軸６１ａが可動パネル２４の支持孔２４ｃに挿入されたときは、回動部材６１と可動パネル２４との連結が成立し、可動パネル２４は、第１ピン６３を中心に回動することができる。
【００５９】
一方、モータ６５が逆転し、支持軸６１ａが可動パネル２４の支持孔２４ｃから抜け出たときは、回動部材６１と可動パネル２４との連結が解消され、可動パネル２４は、第１ピン６３を中心に回動することができない。
【００６０】
（昇降装置７）
図１２は、昇降装置の分解斜視図である。図１２において、昇降装置７は、ワイヤ７１、滑車７２、ボビン７３、巻取り歯車７４、駆動歯車７５、昇降モータ７６、スイッチ７７及びケース７８を有している。
【００６１】
滑車７２は、滑車部７２ａとカム部７２ｂとが一体に成形されており、滑車部７２ａは、ワイヤ７１を支え、ワイヤ７１の移動に伴って回転する。カム部７２ｂは、小径曲面と大径曲面とそれら両曲面を結ぶ平面とから成る。
【００６２】
ボビン７３は、ワイヤ７１を巻取る。巻取り歯車７４は、ボビン７３と同軸で連結され一体的に回転する。駆動歯車７５は、巻取り歯車７４と噛み合いボビン７３を回転させる。
【００６３】
昇降モータ７６は、ステッピングモータであり駆動歯車７５を回転させる。昇降モータ７６の回転数は、制御部から供給されるパルス数によって制御される。なお、制御部は、ＣＰＵ、メモリ及びモータドライブ回路を搭載しており、昇降装置７から離れた他の位置に配置されている。昇降モータ７６と制御部はワイヤハーネスによって電気的に接続されている。
【００６４】
スイッチ７７は、レバー７７ａを有するマイクロスイッチであり、レバー７７ａが押されることによってオンする。レバー７７ａは、常に滑車７２のカム部７２ｂと接触しており、カム部７２ｂの大径曲面と対峙したときに押される。スイッチ７７も、制御部とワイヤハーネスによって電気的に接続されている。
【００６５】
ケース７８は、支持ケース７８ａとカバー７８ｂとに分割されている。支持ケース７８ａには、滑車７２を支持する第１軸７９ａ、ボビン７３と巻取り歯車７４とを支持する第２軸７９ｂ、スイッチ７７を支持する第３軸７９ｃが形成されている。カバー７８ｂは、支持ケース７８ａに支持された各部品を覆って保護する。
【００６６】
（昇降装置７の動作）
図１３は、昇降装置内部の部品の配置図である。図１３において、昇降装置７がワイヤ７１を繰り出す場合、昇降モータ７６は駆動歯車７５をＣＣＷ方向へ回転させ、巻取り歯車７４をＣＷ方向へ回転させる。これによって、ボビン７３がワイヤ７１を繰り出す方向に回転する。
【００６７】
一方、昇降装置７がワイヤ７１を巻き取る場合、昇降モータ７６は駆動歯車７５をＣＷ方向へ回転させ、巻取り歯車７４をＣＣＷ方向へ回転させる。これによって、ボビン７３がワイヤ７１を巻き取る方向に回転する。紐の繰り出し量および巻き取り量は、昇降モータ７６の回転量に比例しており、制御部が、昇降モータ７６へ供給するパルス数を制御することによって、ワイヤ７１の繰り出し量および巻き取り量が制御される。
【００６８】
ワイヤ７１の先端には可動パネル２４が連結されるため、ワイヤ７１には常に張力が発生しており、ワイヤ７１が繰り出されるとき、又はワイヤ７１が巻き取られるとき、滑車部７２ａがワイヤ７１との摩擦力によって回転する。このとき、カム部７２ｂも回転するので、スイッチ７７は、レバー７７ａがカム部７２ｂの大径曲面と対峙したときにオン信号を発し、レバー７７ａが小径曲面と対峙したときにはオフ信号を発する。滑車７２が回転している間は、オン信号とオフ信号が交互に発生し、これらの信号は、すべて制御部に入力される。
【００６９】
しかし、何らかの要因でワイヤ７１が弛み張力がなくなった場合、例えば、メンテナンスのためにワイヤ７１を繰り出して可動パネル２４を降下させているときに、所定の繰り出し量に達する前に、可動パネル２４がテーブルなどの上に着地して停止した場合には、ワイヤ７１と滑車部７２ａとの摩擦力が減退し滑車７２が停止する。このため、スイッチ７７からは、オン信号又はオフ信号のいずれか一方が連続的に出力される。このとき、制御部では、昇降モータ７６が回転しているときにスイッチ７７からの信号が一定になっていることから、可動パネル２４が何らかの障害物によって停止したと推定し、直ちに昇降モータ７６を停止させる。
【００７０】
（ロック装置８）
可動パネル２４が吸込口２０ａを閉じているとき、可動パネル２４を本体２０に支持しているのは、ヒンジ連結装置６と昇降装置７である。不測の要因で、ヒンジ連結装置６が誤動作し可動パネル２４の支持を解除し、昇降装置７のワイヤ７１が緩んでしまったときでも可動パネル２４が落下しないように、空調室内機２はロック装置８をさらに備えている。
【００７１】
図１４は、ロック装置の斜視図である。図１４において、ロック装置８は、可動体８１、第１保持部８２、第２保持部８３、モータ８４及びスプリング８５を有している。可動体８１は、四角柱形状を成し、その一端には傾斜面８１１が形成され、全長が最長である長側面８１２には所定の歯車と噛み合うラック８１ａが形成され、ラック８１ａの下方には中空部８１ｂが形成されている。可動体８１は、長側面８１２を鉛直上方に向け、第１保持部８２に移動可能な状態で保持されている。
【００７２】
第１保持部８２は、上面と一側面とが開放された直方体形状の筐体であり、底面に案内溝８２ａが形成されており、可動体８１がその案内溝８２ａに沿って水平移動する。案内溝８２ａの両端は壁８２１，８２２で挟まれており、一方の壁８２１には可動体８１が通る貫通口８２ｂが形成されている。案内溝８２ａの両端を挟む壁８２１，８２２には壁８２３が隣接しており、壁８２３には、案内溝８２ａと直交する方向に突出する板状突起８２ｃが形成されている。可動体８１は第１保持部８２に保持されているとき、傾斜面８１１は常に第１保持部８２の外側に位置し、ラック８１ａは常に第１保持部８２の内部に位置する。そして、第１保持部８２の板状突起８２ｃは、可動体８１の中空部８１ｂを貫通している。
【００７３】
壁８２３は、モータ８４を固定し、モータ８４の回転軸に連結されたピニオン歯車８４ａを回転可能に支持している。ピニオン歯車８４ａは、可動体８１のラック８１ａと噛み合い、ラック＆ピニオン機構を成している。可動体８１の中空部８１ｂには、スプリング８５が収納されている。スプリング８５は、圧縮コイルスプリングであって、中空部８１ｂの端部と板状突起８２ｃとで挟まれている。
【００７４】
第２保持部８３は、可動体８１が通る案内孔８３ａが形成された固体物であって、可動パネル２４側に設置される。第２保持部８３の上面には滑らかな曲面８３１が形成されている。
【００７５】
（ロック装置８の動作）
図１４において、可動体８１は、第１保持体８２と第２保持体８３に保持された状態であり、その状態でモータ８４がピニオン歯車８４ａをＣＣＷ方向へ回転させたとき、ピニオン歯車８４ａの回転運動はラック８１ａによって直線運動に変換され、可動体８１が壁８２２に向って滑り移動する。可動体８１が所定距離移動したとき、可動体８１は第２保持部８３の案内孔８３ａから離れる。可動体８１を保持しない第２保持体８３は、上下方向の移動が許容されるので、可動パネル２４の降下を妨げない。
【００７６】
可動体８１の移動によって、中空部８１ｂの側面と板状突起８２ｃとの距離が短くなるので、スプリング８５は圧縮され反発力を貯える。モータ８４は、電力が供給されている間、スプリング８５の増加する反発力に抗して回転するが、電力が供給されなくなったとき、スプリング８５の反発力によって逆回転し、可動体８１は元の位置へ復帰する。
【００７７】
可動パネル２４が降下せず第２保持部８３が移動していないとき、可動体８１は第２保持部８３の案内孔８３ａに入る。一方、可動パネル２４が降下して第２保持部８３が移動しているとき、第２保持部８３が復帰する軌道上で待機する。そして、可動パネル２４が上昇して吸込口２０ａを閉じたとき、第２保持部８３は、曲面８３１を可動体８１の傾斜面８１１に当てて、可動体８１を押しのけて復帰する。
【００７８】
第２保持部８３に押された可動体８１は、水平移動しスプリング８５を圧縮する。第２保持部８３が完全に復帰したとき、可動体８１は、第２保持部８３の案内孔８３ａを貫通する。その結果、可動体８１が可動パネル２４の降下を妨げることになる。
【００７９】
（可動パネル２４の開閉動作）
図１５は、可動パネルが吸込口を開いた状態の斜視図である。図１５において、ヒンジ連結装置６が可動パネル２４を連結した状態で、ロック装置８がロックを解除し、昇降装置７がワイヤ７１を繰り出したとき、可動パネル２４は自重によって降下する。しかし、可動パネル２４の端部はヒンジ連結装置６に連結されているので、可動パネル２４は端部を軸として吸込口２０ａを開く方向へ回動する。
【００８０】
一方、昇降装置７がワイヤ７１を巻き取るとき、可動パネル２４は上昇するが、可動パネル２４の端部がヒンジ連結装置６に連結されているので、可動パネル２４は端部を軸として吸込口２０ａを閉じる方向へ回動する。可動パネル２４が吸込口２０ａを完全に閉じたとき、ロック装置８が可動パネル２４をロックする。
【００８１】
（可動パネル２４の昇降動作）
図１６は、可動パネルが降下している状態の斜視図である。図１６において、ヒンジ連結装置６が可動パネル２４の端部との連結を解除し、ロック装置８が可動パネル２４のロックを解除し、昇降装置７がワイヤ７１を繰り出したとき、可動パネル２４は自重によって降下する。一方、昇降装置７がワイヤ７１を巻き取るとき、可動パネル２４は上昇し、可動パネル２４が吸込口２０ａを完全に閉じたとき、ロック装置８が可動パネル２４をロックする。
【００８２】
可動パネル２４は２本のワイヤに吊られて、ダストボックス１０９と共に降下するので、ダストボックス１０９を含めた可動パネル２４の総重量は増加しており、室内の気流によって姿勢が不安定になることはない。但し、塵埃が、ダストボックス１０９内に偏って集積されているときは重心が変動する。このため、本実施形態では、ダストボックス１０９内に塵埃が満載されているときの姿勢と、ダストボックス１０９内が空のときの姿勢とがほぼ同姿勢となるように、可動パネル２４上のダストボックス１０９の寸法と位置が設定されている。
【００８３】
具体的には、ダストボックス１０９の長手方向の全長は、可動パネル２４の長手方向の全長の１／２以上に設定されている。また、ダストボックス１０９の幅方向の全長は、可動パネル２４の幅方向の全長の１／３以上に設定されている。そして、ダストボックス１０９は、可動パネル２４が回動するときの回動軸に寄って配置されている。
【００８４】
＜吹出口モジュール５０の構成部品＞
図１７は吹出口モジュールの拡大断面図であり、図１８は吹出口モジュールの斜視図である。図１７、図１８において、吹出口モジュール５０は、第１吹出流路形成壁部５１、第１風向調節羽根５２、第２風向調節羽根５３、長羽根支持部材５４、短冊状羽根支持部材５５及び断熱材５６がモジュール化されたものである。
【００８５】
（第１吹出流路形成壁部５１）
第１吹出流路形成壁部５１は、空気流路の終端部に位置し吹出口２０ｂに繋がる第１吹出流路５１ａを形成している。第１吹出流路形成壁部５１は、第２吹出流路４１ａを形成する第２吹出流路形成壁部４１（図３参照）の終端と向かい合う部分に、樹脂性のシール部材貼付面５１１を有しており、そこにシール部材５９が貼り付けられる。シール部材貼付面５１１の幅寸法は、３ｍｍ以上に設定されている。
【００８６】
第１吹出流路形成壁部５１は、シール部材貼付面５１１から吹出口２０ｂの方向へ延びる外壁５１２及び内壁５１３と、外壁５１２の終端から水平方向に延びるフランジ５１４をさらに有している。外壁５１２と内壁５１３とは所定距離だけ離れて、外壁５１２と内壁５１３との間に断熱空気層５１ｂを形成している。フランジ５１４は、吹出口２０ｂを挟んで吸込口２０ａと反対側に位置し、化粧パネル２１の補強板を兼ねている。
【００８７】
（第１風向調節羽根５２）
第１風向調節羽根５２は、吹出口２０ｂの近傍に位置し、吹出口２０ｂの長手方向と平行に延びる２つの長羽根５２ａ，５２ｂを有している。長羽根５２ａ，５２ｂは、長羽根支持部材５４によって第１吹出流路形成壁部５１に連結されており、長羽根支持部材５４の支持部５４ａ，５４ｂが吹出口２０ｂの長手方向と並行な軸を中心として回動し、長羽根５２ａ，５２ｂの傾き角度を調節する。但し、空調室内機２が停止しているときは吹出口２０ｂを閉じる。
【００８８】
（第２風向調節羽根５３）
第２風向調節羽根５３は、第１風向調節羽根５２の上流に位置し、複数の短冊状羽根５３ａと１本の駆動軸５３ｂとを有している。各短冊状羽根５３ａは、短冊状羽根支持部材５５によって第１吹出流路形成壁部５１に連結され、所定の間隔で吹出口２０ｂの長手方向に平行に並んでいる。また、複数の短冊状羽根５３ａは、駆動軸５３ｂによって繋がっており、駆動軸５３ｂが長手方向に往復運動することによって、吹出口２０ｂの長手方向と直行する軸を中心に遥動する。
【００８９】
（第１風向調節羽根駆動部５７）
第１風向調節羽根駆動部５７は、第１吹出流路形成壁部５１の外側で第１風向調節羽根５２の延長線上に位置する。第１風向調節羽根駆動部５７は、内部にステッピングモータ（図示せず）と、そのステッピングモータの回転を長羽根支持部材５４に伝達する伝達歯車（図示せず）を有している。
【００９０】
（第２風向調節羽根駆動部５８）
第２風向調節羽根駆動部５８は、第１吹出流路形成壁部５１の外側で第２風向調節羽根５３の駆動軸５３ｂの延長線上に位置する。第２風向調節羽根駆動部５８は、内部にステッピングモータ（図示せず）と、そのステッピングモータの回転を駆動軸５３ｂに伝達する伝達歯車（図示せず）を有している。
【００９１】
＜可動パネル２４の吊り下げ方向＞
次に、昇降装置７のワイヤ７１による可動パネル２４の吊り下げ方法について説明する。図１９は、可動パネルの端部の平面図である。図１９において、可動パネル２４の端部近傍には、昇降装置７のワイヤ７１の先端が連結される吊り金具が取り付けられている。
【００９２】
（吊り金具７０８）
図２０は、昇降装置のワイヤの先端に連結される吊り金具の正面図である。図２０において、吊り金具７０８は、上部リング７０８ａと下部リング７０８ｂとを有している。上部リング７０８ａと下部リング７０８ｂとは、金属線をアラビア数字の８の字状に加工することによって一体成形される。吊り金具７０８の上部リング７０８ａには、昇降装置７のワイヤ７１が接続され、下部リング７０８ｂは、可動パネル２４の所定の部材に連結される。
【００９３】
（吊り金具連結部材５７０）
図２１（ａ）は、吊り金具が連結される吊り金具連結部材の平面図であり、（ｂ）は、（ａ）のＸ−Ｘ線での断面図である。なお、図２１（ｂ）には、参考として、吊り金具７０８が連結されている状態を２点鎖線で表示している。図２１（ａ），（ｂ）において、吊り金具連結部材５７０は、ケース５７１、スライドレバー５７２及びスプリング５７３を含んでいる。
【００９４】
ケース５７１は、フランジ５７１ａを有しており、フランジ５７１ａが可動パネル２４の所定位置にネジによって取り付けられる。ケース５７１は、吊り金具７０８の下部リング７０８ｂが挿入される開口５７１ｂと、開口５７１ｂから下部リング７０８ｂを内部へ導く溝５７１ｃと、スライドレバー５７２が移動するときの案内となるガイド部５７１ｄをさらに有している。
【００９５】
スライドレバー５７２は、ケース５７１の溝５７１ｃと交差する方向に移動する部材であり、使用者が指で摘むことができるリブ５７２ａを有する。スライドレバー５７２は、リブ５７２ａと反対側の面に、スプリング５７３を支持する突起５７２ｂをさらに有する。スプリング５７３は、圧縮コイルスプリングであって、内側を突起５７２ｂに支持され、外側はケース５７１のガイド部５７１ｄとスライドレバー５７２に囲まれている。
【００９６】
スライドレバー５７２は、ケース５７１の開口５７１ｂを内側から閉じるインナーカバー５７２ｃをさらに有している。通常、スライドレバー５７２は、スプリング５７３のバネ力によってフランジ５７１ａ側へ押されているので、インナーカバー５７２ｃが開口５７１ｂを閉じている。
【００９７】
図２２（ａ）は、吊り金具が連結される直前の吊り金具連結部材の平面図であり、（ｂ）は、（ａ）のＹ−Ｙ線での断面図である。なお、図２２（ｂ）には、参考として、吊り金具７０８が挿入された状態を２点鎖線で表示している。図２２（ａ），（ｂ）において、スライドレバー５７２をフランジ５７１ａから離れる方向へ移動させたとき、インナーカバー５７２ｃがケース５７１の開口５７１ｂを開放するので、吊り金具７０８を開口７５１ｂから挿入することが可能となる。
【００９８】
吊り金具７０８は、溝５７１ｃに沿って内部へ進入することができる。溝５７１ｃの長さは、吊り金具７０８の下部リング７０８ｂが完全に収まる長さに相当するので、下部リング７０８ｂは完全にケース５７１内に収納される。下部リング７０８ｂが、ケース５７１内に収納された後に、スライドレバー５７２を元の位置に戻したとき、インナーカバー５７２ｃが下部リング７０８ｂに嵌まり込むので、下部リング７０８ｂがケース５７１から抜けなくなる。
【００９９】
（ダストボックスロック装置５８０）
図１９において、ダストボックス１０９が装着される領域の側方に、ダストボックスロック装置５８０が取り付けられている。ダストボックスロック装置５８０は、ダストボックス１０９が可動パネル２４から外れないように固定している。
【０１００】
図２３（ａ）は、ダストボックスロック装置の平面図であり、（ｂ）はダストボックスロック装置の正面図である。図２３（ａ），（ｂ）において、ダストボックスロック装置５８０は、ロックバー５８１と、ロックバー５８１を支持するハウジング５８２と、ロックバー５８１をハウジング５８２から突出させるロックスプリング５８３を含んでいる。
【０１０１】
ロックバー５８１の上部には、使用者が指で摘むことができる操作リブ５８１ａが形成されている。使用者は、図２３（ｂ）のＧ方向へ操作リブ５８１ａを指で移動させることによって、ロックバー５８１がロックスプリング５８３を圧縮させながら移動する。そして、使用者が手を離したとき、ロックバー５８１は、ロックスプリング５８３の力で元の位置へ復帰する。
【０１０２】
＜特徴＞
（１）
空調室内機２では、可動パネル２４がダストボックス１０９をともなってメンテナンス位置まで降下するので、ダストボックス１０９及び可動パネル２４それぞれを別個に降下させるよりも動作が簡単であり、その分、可動パネルの動作の信頼性が高い。また、使用者が空調室内機２からダストボックス１０９を運んでくる手間が省ける上に、使用者はメンテナンス位置でダストボックス１０９に貯まった塵埃を捨てることができるので使い勝手がよい。
【０１０３】
（２）
空調室内機２では、可動パネル２４の位置が、吊り上げによる降下量又は上昇量を変更することによって決まるので、天井の高さに対応したメンテナンス位置を設定することが可能となり、使用者にとって使い勝手がよい。
【０１０４】
（３）
空調室内機２では、運転時、可動パネル２４の一端が、ヒンジ連結装置６に支持されるので、天井の振動や、吸い込み空気の風圧によって可動パネル２４が不安定に揺れることが防止される。さらに、メンテナンス位置へ移動するとき、ヒンジ連結装置６は可動パネル２４の支持を解除するので、可動パネル２４の移動が妨げられることはない。
【０１０５】
（４）
空調室内機２では、ヒンジ連結装置６の滑り部材６２が、可動パネル２４の回転中心軸方向の移動を規制するので、天井の振動や、吸い込み空気の風圧などによる可動パネル２４の回転中心軸方向の揺れが防止される。
【産業上の利用可能性】
【０１０６】
以上のように、本発明によれば、フィルタ清掃機構からダストボックスを容易に離して降下させることができるので、高所に設置される装置から特定部品を降下させる昇降装置の分野にも有用である。
【符号の説明】
【０１０７】
２  空調室内機
６  ヒンジ連結装置（パネル支持手段）
７  昇降装置（昇降機構）
９  フィルタ
２０  本体
２０ａ  吸込口
２４  可動パネル（昇降パネル）
２４ｃ  支持孔（第１回転支持部）
６１  回動部材（第２回転支持部）
６２  滑り部材（規制部）
１０９  ダストボックス
【先行技術文献】
【特許文献】
【０１０８】
【特許文献１】特開２００８−２０９０９９号公報
【図１】
0005570735.tif 000002
【図２】
0005570735.tif 000003
【図３】
0005570735.tif 000004
【図４】
0005570735.tif 000005
【図５】
0005570735.tif 000006
【図６】
0005570735.tif 000007
【図７】
0005570735.tif 000008
【図８】
0005570735.tif 000009
【図９】
0005570735.tif 000010
【図１０】
0005570735.tif 000011
【図１１】
0005570735.tif 000012
【図１２】
0005570735.tif 000013
【図１３】
0005570735.tif 000014
【図１４】
0005570735.tif 000015
【図１５】
0005570735.tif 000016
【図１６】
0005570735.tif 000017
【図１７】
0005570735.tif 000018
【図１８】
0005570735.tif 000019
【図１９】
0005570735.tif 000020
【図２０】
0005570735.tif 000021
【図２１】
0005570735.tif 000022
【図２２】
0005570735.tif 000023
【図２３】
0005570735.tif 000024